(57)【要約】【課題】発汗と蒸れの発生を低減、防止すると共にバストの保形性や造形性を確保できるカップ部を有する衣類を提供する。【解決手段】少なくともカップ部２と土台部３とを有し、前記カップ部と土台部の境界に位置するバージスラインに沿った上縁側にメッシュ帯部６を設け、該メッシュ帯部を介して前記カップ部と土台部とを連結し、前記メッシュ帯部の通気抵抗Ａ、前記土台部の通気抵抗Ｂ、前記カップ部の通気抵抗Ｃの関係をＡ＜Ｂ＜Ｃとし、部位に応じて通気抵抗を変えていることを特徴とする。【選択図】図１
2011099176.tif 000002
【特許請求の範囲】
【請求項１】
少なくともカップ部と土台部とを有し、前記カップ部と土台部の境界に位置するバージスラインに沿った上縁側にメッシュ帯部を設け、該メッシュ帯部を介して前記カップ部と土台部とを連結し、前記メッシュ帯部の通気抵抗Ａ、前記土台部の通気抵抗Ｂ、前記カップ部の通気抵抗Ｃの関係をＡ＜Ｂ＜Ｃとし、部位に応じて通気抵抗を変えていることを特徴とするカップ部を有する衣類。
【請求項２】
前記バージスラインに沿って設けるメッシュ帯部は幅が１．０ｃｍ以下０．３ｃｍ以上である請求項１に記載のカップ部を有する衣類。
【請求項３】
前記メッシュ帯部と土台部との連結部に沿ってワイヤーを取り付けている請求項１または請求項２に記載のカップ部を有する衣類。
【発明の詳細な説明】
【技術分野】
【０００１】
本発明はブラジャー等のカップ部を有する衣類に関し、特に、装着時において蒸れ発生を抑制できる通気性を付与するものである。
【背景技術】
【０００２】
夏季や過剰暖房の雰囲気下において、ブラジャーやブラスリップ等の着用時、蒸れや発汗を生じやすい。この蒸れや発汗を低減、防止するため、ブラジャー等の衣類全体の素材あるいはカップ部の素材を通気性素材で形成する場合が多い。
しかしながら、カップ全体やブラジャー全体を通気性に優れた素材で形成した場合、保形性や造形性が低下し、ブラジャーとしての機能を十分に発揮させることが出来なくなりやすい。一方、蒸れや汗をかきやすい夏季はアウターが薄着となるため、特に、バストをブラジャーでしっかりと保持する機能が要求され、通気性と相反する保形性の要求が強い。
【０００３】
部分的に通気性を高めたものとして、従来、実開昭６２−１５５１０号（特許文献１）において、図６（Ａ）に示すような、乳首に当たる位置に露出用穴１０１をあけると共に、該露出用穴１０１の下部で乳首露出穴とバスト下側周縁のバージスラインとの間のカップ部内の下部領域に、多数の通気穴１０２をあけたブラジャー１００、図６（Ｂ）のカップ部内の下部領域に多数の通気穴１０２のみ設けたブラジャーが提案されている。
【０００４】
本発明者は、ブラジャー着用時における発汗についての調査を行った。調査は、上半身にブラジャーのみを着用した複数人のモニターを、室温３３℃、湿度７０％の条件下の環境実験室で静止させ、発汗させた。
該調査の結果、ブラジャー着用時に、胸部からの発汗は全体的に発生するものではなく、発汗量は部位によって差があることが判明した。即ち、発汗量が最も多い１位の部位はカップ部と土台部との境界のワイヤー取付部分に当たるバスト下周縁のバージスラインに沿った部分であった。次に、発汗量が多い２位の部位はブラジャー土台部が密着するバスト下部であった。カップ部が密着するバスト表面からの発汗量は３位であった。
【０００５】
前記特許文献１の乳首に当たる部分に露出用穴１０１を設けることは、前記調査の結果からは通気性の点で効果は余りなく、逆に、乳首が露出することで、乳首の形状が外観に響きブラジャーとしての機能がなくなる。また、カップ部の下側部に設けた多数の通気穴１０２も、前記発汗量の調査で第３位のバスト表面に当たる位置であるため、発汗抑制の点で余り効果がなく、逆にカップ部下側部に多数の通気穴１０２を設けるとバストを下部から押し上げる機能が損なわれ、バストの保形性や造形性の機能が損なわれる問題がある。
【先行技術文献】
【特許文献】
【０００６】
【特許文献１】実開昭６２−１５５１０号
【発明の概要】
【発明が解決しようとする課題】
【０００７】
本発明は、前記ブラジャー着用時における発汗量の調査の結果に基づいて、発汗抑制に最も効果がある部位の通気性を高め、かつ、ブラジャーの機能であるバストの保形性や造形性も確保し、特に、夏季等において蒸れや汗の発生を低減し、爽やかな着用感を有するブラジャー等のカップ部を有する衣類を提供することを課題としている。
【課題を解決するための手段】
【０００８】
前記課題を解決するため、本発明は、少なくともカップ部と土台部とを有し、
前記カップ部と土台部の境界に位置するバージスラインに沿った上縁側にメッシュ帯部を設け、該メッシュ帯部を介して前記カップ部と土台部とを連結し、 
前記メッシュ帯部の通気抵抗Ａ、前記土台部の通気抵抗Ｂ、前記カップ部の通気抵抗Ｃの関係をＡ＜Ｂ＜Ｃとし、部位に応じて通気抵抗を変えていることを特徴とするカップ部を有する衣類を提供している。
【０００９】
ブラジャー等のカップ部を有する衣類では、通常、カップ部と土台部との境界となるバージスラインに沿った部位にはワイヤーが装着され、バージスラインに沿ったカップ部の下縁がワイヤー装着部に直接縫着されている。
前記した調査によれば、ワイヤー装着部は最も発汗量が多い部位で、ワイヤーにより湿気が溜められ、蒸れが生じる箇所である。よって、本発明では、最も発汗量が多い部位で、かつ、ワイヤーにより湿気が溜められる部位に沿って、通気抵抗が最も小さいメッシュ帯部を設けることにより、効果的に発汗を押さえ又は発汗量を低減し、かつ、湿気が溜められないようにして、蒸れ感が生じないようにしている。
【００１０】
さらに、通気抵抗を前記のように、メッシュ帯部の通気抵抗Ａ＜土台部の通気抵抗Ｂ＜カップ部の通気抵抗Ｃとし、前記調査で発汗量が多い順に通気抵抗を小さくして通気性を高め、発汗が抑制または低減でき、蒸れの少ない爽やかな着用感を有するものとしている。
前記のように、最も通気抵抗を小さくしている部位はメッシュ帯部として空孔をもうけることにより通気抵抗は略０として通気性を高めている。
土台部とカップ部とは、土台部の通気性をカップ部の通気性より高めている。そのため、例えば、通気性が相違する素材を用いて形成し、または、通気抵抗のレベルを相違させた同一素材を用いて形成している。あるいは、通気抵抗が同一の素材を用いて土台部とカップ部を形成すると共にカップ部は該素材に他の保形用素材を重ねて形成している。
前記土台部とカップ部とは、例えば、通気レベルを相違させたダブルラッセル等で形成することが好ましい。
【００１１】
前記バージスラインに沿って設けるメッシュ帯部は幅が１．０ｃｍ以下０．３ｃｍ以上、好ましくは０．３ｃｍ〜０．７ｃｍ程度となるようにメッシュテープを取り付けて形成している。該メッシュ帯部に縫着するカップ部には特許文献１のような通気穴を設けていない。
前記メッシュ帯部のメッシュは、１ｍｍ×１ｍｍ〜３ｍｍ×３ｍｍとすることが好ましい。
この比較的細幅のメッシュ帯部を設けるだけで、バージスラインに沿った部位の通気性を局部的に高めて、バージスラインに沿った部位の発汗を防止、抑制することができる。かつ、メッシュ帯部は保形性が低いがその幅を前記のように１．０ｃｍ以下と細くしているため、カップ部によるバストの保形性および造形性を阻害せず、ブラジャーの機能が損なわれない。
【００１２】
前記メッシュ帯部と土台部との連結部に沿ってワイヤーを取り付けてもよい。
ワイヤーを取り付けることにより、バージスラインを明確に出来ると共にバストの下垂を低減できる。かつ、ワイヤーの取り付けにより締付感が生じて発汗が促進されても、該ワイヤー取付部位に沿ってメッシュ部を存在させて通気性を高めているため、ワイヤー取付部位の発汗を抑制することができる。かつ、ワイヤーにより湿気が溜まっても該湿気をメッシュ帯部から発散することができる。
また、前記ワイヤーを取り付けなくとも良く、その場合はワイヤーに変えて布テープをワイヤー取り付け位置に縫着することが好ましい。該布テープとしてはバージスラインの曲線に沿った曲線として予め形成されている布テープが好適に用いられる。
さらに、前記布テープに代えて、ワイヤーを挿入していないワイヤーループをワイヤー取り付け位置に縫着してもよい。
【００１３】
本発明のカップ部を有する衣類は、ブラジャーが最も好適であるが、ブラスリップ、ボデイスーツ、水着等にも適用することができる。
【発明の効果】
【００１４】
前記のように、本発明のブラジャー等のカップ部を有する衣類では、カップ部と土台部との境界のバージスラインの上縁に沿って細幅のメッシュ帯部を配置しているため、最も発汗が発生し易く且つ発汗量の多い部位の通気性を局部的に高めることができ、発汗や蒸れの発生が防止または低減できる爽やかな着用感とすることができる。かつ、カップ部は下部を含めた全体に通気穴を設けていないため、カップ部によるバストの保形性や造形性を維持でき、シャキとした着用感を与えることができる。即ち、通気性と保形性・造形性とを両立でき、爽やかでシャキとした特に夏向きのブラジャーとして好適なものとなる。
【図面の簡単な説明】
【００１５】
【図１】第１実施形態のブラジャーの正面図である。
【図２】前記第１実施形態のブラジャーの肌側となる背面図である。
【図３】第２実施形態のブラジャーの正面図である。
【図４】前記第２実施形態のブラジャーの肌側となる背面図である。
【図５】（Ａ）は第３実施形態のブラジャーの背面図、（Ｂ）は使用する布テープを示す図面である。
【図６】（Ａ）（Ｂ）は従来例を示す図面である。
【発明を実施するための形態】
【００１６】
以下、本発明の実施形態について図面を参照して説明する。
図１、図２に第１実施形態のブラジャー１を示す。
ブラジャー１は左右一対のカップ部２（２Ａ、２Ｂ）と、土台部３と、左右一対のバック部４（４Ａ、４Ｂ）と、左右一対の肩紐５（５Ａ、５Ｂ）とからなる。
【００１７】
前記土台部３の左右端は左右脇線ラインよりも前身頃側に寄った位置とする一方、左右一対のバック部４Ａ、４Ｂは脇線ラインを越えて前身頃側へ延在させ、土台部３の左右端とバック部４とを前身頃側で縫着している。
土台部３には、その中央部３ａを挟む左右両側の上縁にバージスラインに沿った円弧部３ｂ、３ｃを設け、かつ、該土台部３の左右に連続する左右一対のバック部４Ａ、４Ｂの上縁に円弧部３ｂ、３ｃにそれぞれ連続する円弧部４ｃ、４ｄを設けている。
【００１８】
前記バージスラインに沿って設けた土台部３の円弧部３ｂとバック部４Ａの円弧部４ｃにカップ部２Ａをメッシュ帯部６Ａを介して連結している。同様に土台部３の円弧部３ｃとバック部４Ｂの円弧部４ｄにカップ部２Ｂをメッシュ帯部６Ｂを介して連結している。
【００１９】
このように、前記左右一対のカップ部２Ａ、２Ｂの下端縁と、土台部３およびバック部４の前身頃側上縁部とを左右一対のメッシュ帯部６（６Ａ、６Ｂ）を介在させて連結している。該メッシュ帯部６Ａ、６Ｂは縫い代部を含めて幅１．５ｃｍ程度のメッシュテープの上縁とカップ部２Ａ，２Ｂの下縁とを縫着すると共に、メッシュテープの下縁と土台部３およびバック部４の上縁とを縫着することにより、幅０．５ｍｍ程度に形成される。
【００２０】
前記メッシュ帯部６の下縁と縫着する土台部３およびバック部４の前身頃側の上縁にはワイヤー７Ａ、７Ｂをワイヤーループ８Ａ、８Ｂに収容して縫着している。これにより、ワイヤー７の取付部位に沿った上縁にメッシュ帯部６を位置させている。
かつ、メッシュ帯部６の上縁と縫着するカップ部２Ａ、２Ｂの下縁に沿ってテープ９Ａ、９Ｂを縫着し、カップ部２Ａ、２Ｂのバージスラインに沿った下周縁をしっかりと保持している。
【００２１】
前記メッシュ帯部６を形成するメッシュテープは、本実施形態ではナイロン７３．３％、ポリウレタン２６．７％の混紡糸を２ｍｍ×２ｍｍの空孔をあけて編成したメッシュテープからなる。メッシュ帯部６の通気抵抗Ａは略０である。なお、通気抵抗はＫＥＳ法により測定し、単位はＫｐａ・Ｓ／ｍである。
【００２２】
前記土台部３および左右のカップ部２Ａ、２Ｂの素材は特に限定されないが、土台部３の通気抵抗Ｂは前記メッシュ帯部６の通気抵抗Ａより大きく、カップ部２Ａ、２Ｂの通気抵抗Ｃより小さく設定している。即ち、メッシュ帯部６の通気抵抗Ａ＜土台部３の通気抵抗Ｂ＜カップ部２の通気抵抗Ｃとしている。
【００２３】
本実施形態では、土台部３およびカップ部２（２Ａ、２Ｂ）はいずれもポリエステル１００％のダブルラッセルで形成しているが、通気抵抗のレベルを変えて、土台部３のダブルラッセルの通気抵抗をカップ部２のダブルラッセルの通気抵抗より小さくしている。
具体的には、土台部３の通気抵抗Ｂは０．０７８２Ｋｐａ・Ｓ／ｍであり、カップ部２の通気抵抗Ｃは０．０７９９Ｋｐａ・Ｓ／ｍである。
【００２４】
バック部４（４Ａ、４Ｂ）はレース生地で形成し、土台部３およびカップ部２の素材より通気抵抗を小さくしている。即ち、バスト下部で身体に締め付けて取り付ける土台部３およびバック部４の通気抵抗はカップ部２よりも小さくして通気性に優れたものとしている。このように、前記調査で発汗量が第２位の部位の通気性を高めている。
【００２５】
前記のように、左右のバストの表面に密着させる前記左右カップ部２（２Ａ、２Ｂ）の本体生地は、土台部３やバック部４より通気抵抗が大きく、通気穴の無い生地（ダブルラッセル）で形成し、バストの保形性や造形性を損なわないようにしている。
該カップ部２の本体生地は、下部、上部、脇側部に分割すると共にこれらを縫着して膨出部を形成している。該ダブルラッセルからなる本体生地の外面側にレース生地を取り付けると共に肌側の内面にポリエステル１００％の編成糸からなるメッシュからなるパッド受けを取り付けてもよい。
【００２６】
前記構成としたブラジャー１は、発汗量が第１位であるバスト下周縁のバージスラインに沿った位置に、メッシュ帯部６を設けて、局部的に通気性を高めているため、夏季や高温条件下でブラジャーを着用した場合の発汗を抑制、防止でき、爽やかな着用感を付与できる。
かつ、バージスラインに沿って細幅のメッシュ帯部６を設けているだけで、バストを保持するカップ部２には通気穴を設けていないため、バストの保形性や造形性が損なわれず、バストとしっかりと保持でき、シャキとした着用感を付与することができる。
また、土台部３およびバック部４はブラジャー１を身体にしっかりと固定するために、身体に比較的強く巻き付けられるため、発汗量が第２位となるが、土台部３の通気抵抗はカップ部２の通気抵抗よりも小さくし、該土台部３よりバック部４の通気抵抗を更に小さくしているため、該バスト下部での締付部分からの発汗も抑制、防止することができる。
【００２７】
図３および図４に第２実施形態のブラジャーを示す。  
第２実施形態のブラジャー１０は、土台部３の左右端を左右脇線ラインまで延在させている点を第１実施形態のブラジャー１と相違させている。
よって、カップ部２（２Ａ、２Ｂ）の下縁全長を土台部３の上縁に設けた左右一対の円弧部３ｂ、３ｃにメッシュ帯部６（６Ａ、６Ｂ）を介して連結している。
【００２８】
土台部３は、ナイロン７５％、ポリウレタン２５％のラッセルレースに、ナイロン１００％のマーキゼットをラミネートした二重構造としている。メッシュ帯部６およびカップ部２の素材は第１実施形態と同様としている。
該第２実施形態においても、メッシュ帯部６の通気抵抗Ａ＜土台部３の通気抵抗Ｂ＜カップ部２の通気抵抗Ｃとしている。
他の構成および作用効果は第１実施形態と同様であるため、説明を省略する。
【００２９】
図５（Ａ）（Ｂ）に第３実施形態を示す。
第３実施形態では、ワイヤーを取り付けずにノンワイヤーのブラジャーとしており、他の構成は第２実施形態と同様としている。
第２実施形態で取り付けていたワイヤーに代えて布テープ１７Ａ、１７Ｂを土台布３の上縁のバージスラインに沿った円弧部３ｂ、３ｃに縫着している。これら左右一対の布テープ１７Ａ、１７Ｂは、直線状の布テープを円弧形状に曲げて縫着しているのではなく、図５（Ｂ）に示すように、円弧部３ｂ、３ｃの形状に沿った円弧形状に作成時に賦形したものである。よって、布テープ１７Ａ、１７Ｂを土台部３の円弧部３ｂ、３ｃに無理なく沿わせて縫着することができる。
他の構成は前記第２実施形態と同様とし、同一符号を付して説明を省略する。
【００３０】
本第３実施形態では、カップ部２Ａ、２Ｂと土台部３との間に幅１センチ以下のメッシュ帯部６Ａ、６Ｂが介在し、該メッシュ帯部６Ａ、６Ｂを挟んでカップ部２Ａ、２Ｂの下縁にテープ９Ａ、９Ｂ、土台部３の上縁の布テープ１７Ａ、１７Ｂを配置しているため、メッシュ帯部でバージスラインの通気性を確保すると共に、上下のテープでバージスラインが明確になるようにバストを保持でき、ノンワイヤーでありながら補整機能も優れたものとしている。
【００３１】
なお、第３実施形態の布テープ１７Ａ、１７Ｂにかえて、ワイヤーを挿入していないワイヤーループを取りつけてもよい。
【００３２】
本発明は前記実施形態に限定されず、土台部、カップ部の素材は前記素材に限定されない。また、ブラジャー以外のブラスリップ、ボデイスーツ、水着等のカップ部を有する衣類全般に適用することができる。
【符号の説明】
【００３３】
１  ブラジャー
２（２Ａ、２Ｂ）  カップ部
３  土台部
４（４Ａ、４Ｂ）  バック部
６（６Ａ、６Ｂ）  メッシュ帯部
７Ａ、７Ｂ  ワイヤー
９Ａ、９Ｂ  テープ
１７Ａ、１７Ｂ  布テープ
【図１】
2011099176.tif 000003
【図２】
2011099176.tif 000004
【図３】
2011099176.tif 000005
【図４】
2011099176.tif 000006
【図５】
2011099176.tif 000007
【図６】
2011099176.tif 000008